(57)【特許請求の範囲】
【請求項１】
圧縮データをデータ受信装置に送信するデータ送信装置において、
前記データ受信装置において前記圧縮データがデコードされて得られる非圧縮データを格納するフレームメモリへのアドレス指定を前記データ送信装置の操作者が可変速再生を指示する指示データに従って行うことにより前記フレームメモリへの書き込み速度及び読み出し速度を規定する書き込みアドレス及び読み出しアドレスを含む再生用データを生成する再生用データ生成手段と、
前記再生用データ生成手段により生成された前記再生用データと前記圧縮データとを、前記データ受信装置に送信する送信手段と
を有することを特徴とするデータ送信装置。
【請求項２】
前記書き込みアドレス及び前記読み出しアドレスは、前記フレームメモリに対して円環的にアドレス指定を行うメモリアドレスである
請求項１記載のデータ送信装置。
【請求項３】
前記再生用データ生成手段は、前記書き込みアドレスと前記読み出しアドレスとをそれぞれ独立して生成する
請求項１記載のデータ送信装置。
【請求項４】
前記送信手段は、前記再生用データ生成手段により生成された前記再生用データと前記圧縮データとを、伝送用パケットに格納して送信する
請求項１記載のデータ送信装置。
【請求項５】
データ送信装置から圧縮データをデータ受信装置に送信するデータ送信方法において、
前記データ受信装置において前記圧縮データがデコードされて得られる非圧縮データを格納するフレームメモリへのアドレス指定を前記データ送信装置の操作者が可変速再生を指示する指示データに従って行うことにより前記フレームメモリへの書き込み速度及び読み出し速度を規定する書き込みアドレス及び読み出しアドレスを含む再生用データを生成する再生用データ生成ステップと、
前記再生用データ生成ステップにおいて生成された前記再生用データと前記圧縮データとを、前記データ受信装置に送信する送信ステップと
を有することを特徴とするデータ送信方法。
【請求項６】
データ送信装置から送信された圧縮データを受信するデータ受信装置において、
前記圧縮データがデコードされて得られる非圧縮データを格納するフレームメモリへのアドレス指定を前記データ送信装置の操作者が可変速再生を指示する指示データに従って行うことにより前記フレームメモリへの書き込み速度及び読み出し速度を規定する書き込みアドレス及び読み出しアドレスを含む再生用データと、前記圧縮データとを受信する受信手段と、
前記受信手段により受信された前記再生用データに含まれる読みだしアドレスに指定された前記非圧縮データを前記フレームメモリから読み出すことにより、前記データ送信装置の操作者が指示した再生速度で、前記非圧縮データを可変速再生する再生手段と
を有することを特徴とするデータ受信装置。
【請求項７】
前記書き込みアドレス及び前記読み出しアドレスは、前記メモリに対して円環的にアドレス指定を行うメモリアドレスである
請求項６記載のデータ受信装置。
【請求項８】
前記再生手段は、前記書き込みアドレスと前記読み出しアドレスとをそれぞれは独立して利用する
請求項６記載のデータ受信装置。
【請求項９】
前記再生用データと前記圧縮データとは、伝送用パケットに格納して送信されており、前記受信手段は、前記伝送用パケットから前記再生用データと前記圧縮データを分離する
請求項７記載のデータ受信装置。
【請求項１０】
データ送信装置から送信された圧縮データを受信するデータ受信方法において、
前記圧縮データがデコードされて得られる非圧縮データを格納するフレームメモリへのアドレス指定を前記データ送信装置の操作者が可変速再生を指示する指示データに従って行うことにより前記フレームメモリへの書き込み速度及び読み出し速度を規定する書き込みアドレス及び読み出しアドレスを含む再生用データと、前記圧縮データとを受信する受信ステップと、
前記受信ステップにおいて受信された前記再生用データに含まれる読みだしアドレスに指定された前記非圧縮データを前記フレームメモリから読み出すことにより、前記データ送信装置の操作者が指示した再生速度で、前記非圧縮データを可変速再生する再生ステップと
を有することを特徴とするデータ受信方法。
【発明の詳細な説明】
【０００１】
【発明の属する技術分野】
本発明は、送信側で音声・映像データ等に圧縮などの所定の信号処理を行って伝送し、受信側で送信データを受信して再生するデータ伝送装置（データ伝送システム）に関するものであり、特に、本発明は、受信側で可変速再生処理を行う情報を音声・映像データなどを、送信側から受信側に効率よく伝送可能にする、データ送信装置、データ受信装置、ならびに、データ送信方法とデータ受信方法に関する。
【０００２】
【従来の技術】
映像編集等に用いられる装置間で、ディジタル形式の音声・映像データ（以下、単にＡＶデータと記す）等を伝送するための信号伝送方式として、シリアルディジタルインターフェース（ＳＤＩ；Serial Digital Interface）方式が用いられている。ＳＤＩ方式の信号フォーマットは、ディジタル形式の映像信号および音声信号の規格として、ＳＭＰＴＥ（Society of Motion and Television Engineerings）の規格ＳＭＰＴＥ−２９５Ｍに標準化されている。
ＳＤＩ方式は、コンポーネントビデオフォーマットであるＤ１方式およびコンポジットビデオフォーマットＤ２方式のディジタル形式のＡＶデータの伝送に用いられ、その伝送速度は２７０ＭＨｚと高速である。
【０００３】
しかしながら、ＳＤＩ方式においては、伝送可能な信号は非圧縮状態のＡＶデータの場合１チャネル分のみ、ベースバンドの音声信号の場合８チャネル分のみと使用が限定されており、現在、放送あるいは映像編集の分野において高まりつつあるマルチメディア化あるいはマルチチャネル化への要望に対応するために、ＳＤＩ方式は必ずしも適していない。
【０００４】
そこで、最近、複数の非圧縮ＡＶデータ、フレーム間予測符号化等により圧縮されたＡＶデータあるいは計算機用のデータを伝送可能であって、これまで用いられているＳＤＩ方式の伝送設備を利用できるＳＤＤＩ（ＳＤＤＩ；Serial Digital Data Interface）方式がＳＯＮＹ社が提案している。
【０００５】
【発明が解決しようとする課題】
テレビジョン放送局等においては、映像編集に用いられるＶＴＲ装置および映像編集装置等の映像機器の間は、ルータ装置等により接続され、任意の装置から送出されたＳＤＤＩ方式のＡＶデータは、ルータ装置を介して任意の装置に入力されることになる。
このようなルータ装置を介して映像機器が多数接続されるシステム（例えばＡＶサーバシステム）において、再生時のＡＶデータの再生速度を変更する可変速再生を行いたい場合がある。
【０００６】
可変速再生を行う場合、ＡＶデータの送信側から受信側に対して、ＡＶデータの再生方法を示すデータを送信する必要がある。
例えば、受信側の映像機器に圧縮ＡＶデータの可変速再生を行わせたい場合、圧縮ＡＶデータを伸長復号処理した後のＡＶデータをフレームメモリへ書き込む際の書き込み制御用データ、および、記憶したＡＶデータをフレームメモリから読み出す際の読み出し制御用データを、送信側の映像機器から受信側の映像機器に伝える必要がある。
【０００７】
しかしながら、ＡＶデータ等の伝送データと、フレームメモリに関する制御用データ等の伝送したＡＶデータを再生する方法を示す再生用データとを別々に伝送すると、伝送データおよび再生用データの伝送用に、それぞれ別々の設備が必要になるという問題がある。
【０００８】
また、伝送データおよび再生用データの伝送を別々の設備を介して行うと、伝送データと再生用データとの同期をとることが難しくなるという問題がある。
【０００９】
【課題を解決するための手段】
本発明の目的は、たとえば、ＡＶデータ等の伝送の対象となる伝送データの再生方法、たとえば、可変速再生処理を示す再生用データとを格納して伝送路に伝送（送信）することができるデータ送信装置を提供することにある。
本発明の他の目的は、たとえば、上記データ送信装置から送信されたデータを受信して、たとえば、上記可変速再生処理を示す再生用データなどに基づいて受信した伝送データを再生可能なデータ受信装置を提供することにある。
本発明の目的はさらに、データ送信方法とデータ受信方法を提供することにある。
【００１０】
本発明の他の目的は、伝送データと再生用データとを同一の格納領域、たとえば、伝送用パケットに含めて伝送可能とすることにより、これらのデータを同一の設備を用いて伝送することができる、データ送信装置、データ受信装置を提供することにある。
【００１１】
本発明のさらに他の目的は、伝送データと再生用データとを同一の格納領域、たとえば、伝送用パケットに含めて伝送可能とすることにより、これらのデータの間の同期を容易にとることができる、データ送信装置、データ受信装置を提供することにある。
【００１２】
本発明によれば、圧縮データをデータ受信装置に送信するデータ送信装置において、
前記データ受信装置において前記圧縮データがデコードされて得られる非圧縮データを格納するフレームメモリへのアドレス指定を前記データ送信装置の操作者が可変速再生を指示する指示データに従って行うことにより前記フレームメモリへの書き込み速度及び読み出し速度を規定する書き込みアドレス及び読み出しアドレスを含む再生用データを生成する再生用データ生成手段と、
前記再生用データ生成手段により生成された前記再生用データと前記圧縮データとを、前記データ受信装置に送信する送信手段と
を有することを特徴とするデータ送信装置が提供される。
【００１３】
また本発明によれば、データ送信装置から圧縮データをデータ受信装置に送信するデータ送信方法において、前記データ受信装置において前記圧縮データがデコードされて得られる非圧縮データを格納するフレームメモリへのアドレス指定を前記データ送信装置の操作者が可変速再生を指示する指示データに従って行うことにより前記フレームメモリへの書き込み速度及び読み出し速度を規定する書き込みアドレス及び読み出しアドレスを含む再生用データを生成する再生用データ生成ステップと、前記再生用データ生成ステップにおいて生成された前記再生用データと前記圧縮データとを、前記データ受信装置に送信する送信ステップとを有することを特徴とするデータ送信方法が提供される。
【００１４】
また本発明によれば、データ送信装置から送信された圧縮データを受信するデータ受信装置において、前記圧縮データがデコードされて得られる非圧縮データを格納するフレームメモリへのアドレス指定を前記データ送信装置の操作者が可変速再生を指示する指示データに従って行うことにより前記フレームメモリへの書き込み速度及び読み出し速度を規定する書き込みアドレス及び読み出しアドレスを含む再生用データと、前記圧縮データとを受信する受信手段と、前記受信手段により受信された前記再生用データに含まれる読みだしアドレスに指定された前記非圧縮データを前記フレームメモリから読み出すことにより、前記データ送信装置の操作者が指示した再生速度で、前記非圧縮データを可変速再生する再生手段とを有することを特徴とするデータ受信装置が提供される。
【００１５】
本発明によれば、データ送信装置から送信された圧縮データを受信するデータ受信方法において、前記圧縮データがデコードされて得られる非圧縮データを格納するフレームメモリへのアドレス指定を前記データ送信装置の操作者が可変速再生を指示する指示データに従って行うことにより前記フレームメモリへの書き込み速度及び読み出し速度を規定する書き込みアドレス及び読み出しアドレスを含む再生用データと、前記圧縮データとを受信する受信ステップと、前記受信ステップにおいて受信された前記再生用データに含まれる読みだしアドレスに指定された前記非圧縮データを前記フレームメモリから読み出すことにより、前記データ送信装置の操作者が指示した再生速度で、前記非圧縮データを可変速再生する再生ステップとを有することを特徴とするデータ受信方法が提供される。
【００１６】
本発明に係るデータ送信装置において、再生用データ生成手段は、データ受信装置の記憶手段、たとえば、フレームメモリ内のどの記憶領域に伝送データを記憶させるか、および、記憶手段、たとえば、フレームメモリ内のどの記憶領域に記憶された伝送データを出力させるかを示す再生用データを生成する。
データ格納手段は、たとえば、ＳＤＤＩ方式の伝送用パケットに再生用データと伝送データ（非圧縮のＡＶデータまたは圧縮されたＡＶデータまたは計算機用データ）とを格納する。
送信手段は、データ格納手段によって再生用データおよび伝送データが格納された、たとえば、伝送用パケットを、所定の伝送路を介してデータ受信装置に送信する。
【００１７】
また本発明に係るデータ受信装置において、受信手段は、所定の伝送路から送信装置が送信した、たとえば、ＳＤＤＩ方式の伝送用パケットを受信する。
データ分離手段は、受信手段が受信した、たとえば、ＳＤＤＩ方式の伝送用パケットから、それぞれ再生用データおよび伝送データを分離する。
データ再生手段は、例えば伝送データが圧縮ＡＶデータの場合には、まず伸長復号処理を行い、次に伸長復号後の伝送データを分離された再生用データが指定した記憶手段、たとえば、フレームメモリの記憶領域に順次記憶し、そして分離された再生用データが指定する記憶領域に記憶された伸長復号後の伝送データを順次、出力する。
【００１８】
例えば、再生用データが、伝送データを記憶手段、たとえば、フレームメモリ内の連続的な記憶領域に記憶し、たとえば、フレームデータを１つ置きに出力するように指定するものである場合には、データ再生方法は準方向の２倍速再生となり、再生用データがフレームを逆方向に出力させるものである場合には、データ再生方法は逆方向再生となる。
【００１９】
【発明の実施の形態】
第１実施例
本発明のデータ送信装置、データ受信装置、および、データ送信装置とデータ受信装置とで構成されるデータ伝送装置の第１の実施例を説明する。
図１に示すように、データ伝送装置１は、データ送信装置１０とデータ受信装置２０とが、ＳＯＮＹ社が提案しているＳＤＤＩ方式の伝送信号に適した所定の伝送路５０により接続されて構成されている。データ送信装置１０は、ＡＶデータ処理装置１２、ＳＤＤＩエンコーダ回路１４、再生用制御データ生成回路１６および送信回路１８から構成されている。データ受信装置２０は、受信回路２２、ＳＤＤＩデコーダ２４、ＡＶデータ処理回路２６、フレームメモリ２８、メモリ制御回路３０および装置制御回路３２から構成される。
【００２０】
ここで、データ伝送装置１の各構成部分の説明に先立ち、ＳＤＤＩ方式のフレームの構成、伝送用パケットの構成および伝送信号を説明する。
ＳＤＤＩ方式においては、図２Ａに示すように、ＳＤＩ方式と同様に５２５ライン（または６２５ライン、以下、かっこ内は６２５ライン構成の場合を示す）が１フレームを構成する。図２Ｂに示すように、ＳＤＤＩ方式の伝送用パケットは、データ送信装置１０およびデータ受信装置２０の内部では２７Ｍｂｐｓの１０ビットパラレル形式のデータとして取り扱われる。伝送用パケット内の各ラインの先頭から４ワードはアクティブビデオ終了符号ＥＡＶ（End of Active video）として、続く２７６ワード（２６８ワード）は、所定の制御データを格納するアンシラリデータ部（ＡＮＣ）として、続く４ワードがアクティブビデオ開始符号ＳＡＶ（Start of Active video）として用いられ、続く１４４０ワードが、非圧縮ＡＶデータ、圧縮ＡＶデータあるいは計算機用のデータを格納するペイロード部ＰＡＤとして用いられる。図２Ｂに示した伝送用パケットは、伝送路５０上を、図２Ｃに示すように、２７０Ｍｂｐｓの１ビットシリアル形式の伝送信号として伝送される。
【００２１】
次にデータ伝送装置１の各構成部分の説明をする。
データ伝送装置１のデータ送信装置１０は、まず入力データＶＩＮを、非圧縮状態のまま、あるいは、フレーム間圧縮符号化方式等により圧縮符号化した状態で伝送の対象となる伝送データとして、図２Ｂに示したＳＤＤＩ方式の伝送用パケットのペイロード部ＰＡＤに格納する。次に、受信側で可変速再生等を行わせる際の再生方法を示す再生用データをフレームの所定のラインに対応する伝送用パケットのペイロード部ＰＡＤに格納して、それら伝送用パケットを伝送路を介してデータ受信装置２０に伝送する。本発明の実施例では再生用データをフレームの第１２番目のラインに格納して伝送する。
【００２２】
データ送信装置１０において、ＡＶデータ処理装置１２は、例えばディジタルビデオテープレコーダ（ディジタルＶＴＲ）のＡＶデータ記録装置から再生された非圧縮のＡＶデータ、あるいは、計算機用のデータ等の入力データＶＩＮを、外部からの操作に応じて、ＭＰＥＧ（Moving Picture Expert Group）の規定による画像圧縮方式等のフレーム間予測符号化方式等により圧縮符号化し、あるいは、そのまま伝送データＳ１２としてＳＤＤＩエンコーダ回路１４に対して出力する。
【００２３】
再生用データ生成回路１６は、再生用データ生成回路１６に接続された端末装置（図示せず）等の外部からデータ伝送装置１の操作者により入力される可変速再生を指示する指示データに従って、書き込みメモリアドレスと、読出しメモリアドレスを生成して、それぞれをＳＤＤＩエンコーダ回路１４に対して出力する。
再生用データ生成回路１６が生成するこれらのアドレスの内、書込みアドレスは、その伝送用パケットが含まれるフレームのデータが格納されるフレームメモリ２８内の記憶領域を示している。読出しメモリアドレスは、フレームメモリ２８から読み出すフレームのデータが記録された記憶領域を示している。
【００２４】
ＳＤＤＩエンコーダ回路１４は、再生用データ生成回路１６から出力された書込みメモリアドレスおよび読出しメモリアドレスを、図３に示したフレームの第１２番目のライン以降の伝送用パケット内のペイロード部ＰＡＤに格納し、ＡＶデータ処理装置１２から出力される伝送データＳ１２を図２Ａに示したフレームの第１３番目のライン以降の各ラインの伝送パケット内のペイロード部ＰＡＤに格納する。さらにＳＤＤＩエンコーダ回路１４は、所定の伝送用制御データを所定のライン（本実施例では、再生用データが格納されるフレームの第１２番目と同じライン）の伝送用パケット内のアンシラリデータ部ＡＮＣに格納した伝送用パケットを送信回路１８に対して出力する。
【００２５】
送信回路１８は、ＳＤＤＩエンコーダ回路１４から出力された伝送用パケットを順次、図２Ｃに示すようにパラレル／シリアル変換して伝送信号を生成し、伝送路５０に送信する。
【００２６】
データ受信装置２０は、まずデータ送信装置１０から送られてきたＳＤＤＩ伝送用パケットから非圧縮ＡＶデータまたは圧縮ＡＶデータ等の伝送データ、および再生用データを分離し、例えば伝送データが圧縮ＡＶデータであればそれを伸長復号して、分離した再生用データに基づいて、通常再生または、早送りまたは遅い送り等のＡＶデータの可変速再生を行う。
【００２７】
データ受信装置２０において、受信回路２２は、伝送路を介してデータ送信装置１０から送信されてきた伝送用パケットを受信し、シリアル／パラレル変換してＳＤＤＩデコーダ２４に対して出力する。
【００２８】
ＳＤＤＩデコーダ２４は、まず、受信回路２２が受信したＳＤＤＩ方式のフォーマットのフレームの第１２番目のラインの伝送用パケット内のペイロード部ＰＡＤに格納された書込みメモリアドレスおよび読出しメモリアドレスを分離して制御信号Ｃ３０としてメモリ制御回路３０に対して出力する。次に、フレームの第１２番目のラインの伝送用パケット内のアンシラリデータ部ＡＮＣに格納された伝送用制御データを分離して制御信号Ｃ３２として装置制御回路３２に対して出力し、更に第１３番目以降の各ラインの伝送用パケットのペイロード部ＰＡＤに格納された伝送データを分離し、伝送データＳ２４としてＡＶデータ処理回路２６に対して出力する。
【００２９】
装置制御回路３２は、制御信号Ｃ３０に基づいて、データ受信装置２０の各構成部分の動作を制御する。
【００３０】
ＡＶデータ処理回路２６は、伝送データＳ２４が圧縮ＡＶデータである場合には、ＳＤＤＩデコーダ２４から出力された伝送データＳ２４を伸長復号し、伝送データＳ２４が非圧縮ＡＶデータあるいは計算機用のデータである場合にはそのまま、伝送データＳ２６としてフレームメモリ２８に対して出力する。
【００３１】
メモリ制御回路３０は、制御信号Ｃ３０に基づいて、制御信号Ｃ２８を用いてフレームメモリ２８を制御し、まずＳＤＤＩデコーダ２４が分離した書込みメモリアドレスによって示されるフレームメモリ２８内の記憶領域に、受信した伝送データＳ２６を格納させる。次にフレームメモリ２８に記憶されている伝送データＳ２６の内、読出しメモリアドレスによって示される記憶領域に記憶されたデータを出力データＶＯＵＴとして出力させる。
【００３２】
フレームメモリ２８は、記憶領域が各フレームに対応する複数の領域に分割されており、上述したメモリ制御回路３０による制御に従って、ＡＶデータ処理回路２６から入力された伝送データＳ２４は順次、フレーム単位で記憶され、出力データＶＯＵＴとして出力される。フレームメモリ２８へのデータの書込速度と読みだし速度を調整することにより、通常再生または適宜の可変速再生が実現される。すなわち、送信側で再生用データとして与えたフレームメモリ２８の書込アドレスと読みだしアドレスが再生速度を規定している。
【００３３】
なお、データ伝送装置１が適用されるデータ伝送システムに、データ受信装置２０が複数接続される場合には、フレームメモリ２８の記憶領域を共通にすると、データ送信装置１０におけるアドレス管理がデータ受信装置ごとに行う必要がなく簡便になるから、好適である。
【００３４】
以下、データ送信装置１０から伝送データとして圧縮ＡＶデータをデータ受信装置２０に伝送する場合を例に、データ伝送装置１の動作を説明する。
データ送信装置１０において、ＡＶデータ処理装置１２は、非圧縮のＡＶデータをフレーム間予測符号化方式により圧縮符号化する。
ここで、ＭＰＥＧ等のフレーム間予測符号化方式により圧縮符号化されたＡＶデータに対しては、ＧＯＰ（Group Of Picture）と呼ばれる単位で伸長復号処理を行う必要がある。従って、データ伝送装置１においても、ＡＶデータ処理装置１２において圧縮符号化された伝送データは、データ受信装置２０のＡＶデータ処理回路２６において伸長復号されるまでは、ＧＯＰ単位で取り扱う必要がある。
【００３５】
この必要性を満たすために、再生用データ生成回路１６は、図１に点線で示すように、制御信号Ｃ１２を介してＡＶデータ処理装置１２からＧＯＰを生成するタイミング信号を受け、このタイミング信号に同期して、フレームメモリ２８に伝送データを記憶させる領域を示す書込みメモリアドレスを生成する。そして、再生用データ生成回路１６は可変速再生を指示する指示データに基づいて読出しメモリアドレスを生成してそれらをＳＤＤＩエンコーダ回路１４に対して出力する。
【００３６】
具体的に例を示して再生用データ生成回路１６の動作を説明する。フレームメモリ２８が各フレームに対応する記憶領域０〜ｐに分割されている場合、再生用データ生成回路１６は、各フレームのデータをフレームメモリ２８内に格納させるために、例えば０、１、２、…、ｐ、１、２、３、…というように円環的にアドレス指定する書込みメモリアドレスを生成する。ここでｐは整数である。
さらに再生用データ生成回路１６は、可変速再生を実現させるような読出しメモリアドレスを生成する。
例えば１倍速再生の場合は、書込みメモリアドレスと同様に、記憶領域０、１、２、…、ｐ、０、１、２、３、…というように円環的にアドレス指定する読出しメモリアドレスを生成する。
たとえば、２倍速再生の場合は、記憶領域０、２、４、…２ｑ、０、２、４、…、または記憶領域１、３、５、…、（２ｑ−１）、１、３、…というように、記憶領域を１つおきに読み飛ばすような読出しメモリアドレスを生成する。ただし、ｑは整数であり、この例はｐ＝２ｑとした場合である。
また、例えば逆方向再生の場合は，記憶領域ｐ、ｐ−１、…、１、０、ｐ、…の順番にアドレス指定する読出しメモリアドレスを生成し、２倍遅い速度で順方向に再生させる場合は、記憶領域０、０、１、１、…、ｐ、ｐ０、０、…の順番にアドレス指定する読出しメモリアドレスを生成する。
【００３７】
前述の再生用データ生成回路１６が生成する書込みメモリアドレス、および読出しメモリアドレスは、それぞれ独立に生成され、利用される。例えば、伝送データが圧縮ＡＶデータの場合、その伝送データは受信装置にて受信された後、復号伸張処理され、同一の伝送パケットによって同時に伝送された書込みメモリアドレスによって指定された記意領域に格納される。この場合、伝送データは復号伸張処理されるため、実際にフレームメモリ内に記憶され、読み出すことができるようになるまでには、例えば数フレーム分の時間がかかる。
従って、読出しアドレスは、その復号伸張処理時間を見込んだ時間の後生成して、伝送パケット内に格納し、伝送してもよい。
【００３８】
このように読み出しメモリアドレスを書き込みメモリアドレスとは独立して生成、伝送することができるため、圧縮ＡＶデータが復号伸張されるのを待ってフレームのデータをフレームメモリから読み出す必要がなくなる。
【００３９】
伝送データが非圧縮ＡＶデータおよび計算機用データの場合、復号伸張処理が不要なため、伝送パケットが受信装置にて受信される時点でフレームメモリから読み出したいフレームのデータが記憶されているアドレスを、読み出しメモリアドレスとして生成し、伝送すればよい。
【００４０】
再生用データ生成回路１６による上記読出しメモリアドレス生成方法は、ＡＶデータをデータ受信装置２０に、さらに速く順方向に再生させる場合、さらに速く逆方向に再生させる場合、コマ送り再生させる場合、あるいは、静止再生させる場合についても同様である。
【００４１】
ＳＤＤＩエンコーダ回路１４は、再生用データ生成回路１６から出力された書込みメモリアドレスと、読出しメモリアドレスを、ＳＤＤＩ方式のフレームの第１２番目のラインの伝送用パケット内のペイロード部ＰＡＤに格納する。また、ＡＶデータ処理装置１２から出力された伝送データＳ１２を、第１３番目以降の各ラインのペイロード部に格納する。送信回路１８は、ＳＤＤＩエンコーダ回路１４から出力された伝送用パケットを順次、伝送路に送信する。
【００４２】
データ受信装置２０において、受信回路２２は、データ送信装置１０から送られてきた伝送用パケットを受信する。
【００４３】
ＳＤＤＩデコーダ２４は、図３に示したＳＤＤＩ方式のフレームの第１２番目のラインの伝送用パケット内のペイロード部ＰＡＤから書込みメモリアドレスと、読出しメモリアドレスを分離し、第１２番目のラインからの各ラインの伝送用パケットのペイロード部ＰＡＤから伝送データを分離する。分離された書込みメモリアドレスと読出しメモリアドレスとは、制御信号Ｃ３０として、メモリ制御回路３０に対して出力される。分離された伝送データは、伝送データＳ２４としてＡＶデータ処理回路に対して出力される。
【００４４】
ＡＶデータ処理回路２６は、伝送データＳ２４を伸長復号する。
メモリ制御回路３０は、制御信号Ｃ２８を用いてフレームメモリ２８を制御し、書込みメモリアドレスが示すフレームメモリ２８内の記憶領域に順次、ＡＶデータ処理回路２６が伸長復号したＡＶデータ（伝送データＳ２６）を記憶させるとともに、読出しメモリアドレスが示すフレームメモリ２８の記憶領域内に格納されていた、フレームのデータを出力データＶＯＵＴとして出力させる。
【００４５】
以上説明したように、データ伝送装置１を構成することにより、データ受信装置２０における可変速再生方法等をデータ送信装置１０側から指示することが可能となる。
【００４６】
また、ＳＤＤＩ方式の伝送用パケットは、複数の圧縮ＡＶデータ等を１つのペイロードに含めることができるので、複数のＡＶデータについて、同時に可変速再生制御することが可能である。
【００４７】
なお、第１の実施例においては、データ伝送装置１の動作を伝送データとして圧縮ＡＶデータを用いる場合について説明したが、伝送データとして非圧縮ＡＶデータを用いる場合についても同様である。
また、例えば、再生用データとして伝送データに対して特殊効果を与えるためのデータ、伝送データを伸長復号するために必要なデータ、あるいは、ＡＶデータを編集するために用いるデータ等を伝送するようにデータ伝送装置１を構成してもよい。
【００４８】
なお、フレームメモリ２８は、半導体メモリで構成する他、ハードディスク（ＨＤＤ）装置あるいは光磁気（ＭＯ）ディスク装置等により構成することができる。
【００４９】
また、データ伝送装置１においては、通常再生または可変速再生をするか否かにかかわらず、データ送信装置１０からデータ受信装置２０に対してＡＶデータに含まれる全てのフレームを送信するのが好適である。再生用データの変更のみで任意の倍率の可変速再生が可能となるからである。但し、データ伝送装置１の用途等によっては、可変速再生時には可変速再生に必要なデータのみを伝送するように構成してもよい。
【００５０】
第２実施例
以下、本発明のデータ送信装置、データ受信装置およびデータ伝送装置の第２の実施例を説明する。
図４は、図１に示したデータ送信装置１０およびデータ受信装置２０をそれぞれ複数有するデータ伝送システム４の構成を示す図である。なお、図４に示したデータ伝送システム４の構成要素の内、図１に示したデータ伝送装置１の構成部分と同じものには同一符号を付して示してある。
【００５１】
図４に示すように、データ伝送システム４は、ｍ個のデータ送信装置１０1〜１０m、データ送信装置１０1〜１０mそれぞれに接続されたディジタルＶＴＲ装置、画像処理装置および計算機等のデータ生成装置４２1〜４２m、ｎ個のデータ受信装置２０1〜２０n、ｎ個のデータ受信装置２０1〜２０nそれぞれに接続されたモニタ装置等の映像機器４４1〜４４n、任意のデータ送信装置１０1〜１０mと任意のデータ受信装置２０1〜２０n（ｍ，ｎは整数）との間を１対１あるいは１対複数に接続するルータ装置４０、および、ルータ装置４０の接続関係を制御するルーティング制御装置４６から構成されている。
【００５２】
図４に示したように、ＡＶデータ等を発生するデータ生成装置４２1〜４２mに対して１対１対応にデータ送信装置１０1〜１０mを設け、ルータ装置４０によりデータ送信装置１０1〜１０mとデータ受信装置２０1〜２０nとの間を接続することにより、データ送信装置１０1〜１０mのいずれかから送信した伝送信号を、データ受信装置２０1〜２０nの内の１つまたは複数で可変速再生等を行うことが可能である。なお、この場合、第１の実施例において言及したように、データ送信装置１０1〜１０m内のフレームメモリ２８内の記憶領域を指定するためのアドレスを、全てのフレームメモリ２８で共通とすると好適である。
【００５３】
本発明の実施に際しては上述した具体的な構成およびその処理に限定されず、種々の変形態様をとることができる。
【００５４】
【発明の効果】
以上述べたように、本発明によれば、ＡＶデータ等の伝送の対象となる伝送データと、伝送データの再生処理に必要となる再生用データとを、たとえば、同じ伝送用パケットに含めて、かつ同じ伝送路を用いて伝送することができる。
【００５５】
また本発明によれば、伝送データと再生用データとを同一の伝送用パケットに含めて伝送可能とすることにより、これらのデータを同一の設備を用いて伝送することができる。従って、本発明に係るデータ伝送装置を導入する際の伝送路の配線を少なくすることができ、また、導入の際の工事が簡単になる。
【００５６】
また本発明によれば、伝送データと再生用データとを同一の伝送用パケットに含めて伝送可能とすることにより、これらのデータの間の同期を容易にとることができる。
【００５７】
なお、上述した実施例においては、可変速再生について述べたが、可変速再生に限らず、伝送データとその処理を行う指令データとを、たとえば、ＳＤＤＩ方式のフォーマットを用いて、同時に格納してパケット伝送可能である。
【００５８】
本発明のデータ伝送装置は、種々の分野におけるディジタルデータの伝送に適用できる。
【図面の簡単な説明】
【図１】図１は、本発明に係るデータ伝送装置の構成を示す図である。
【図２】図２（Ａ）〜図２（Ｃ）は、ＳＭＰＴＥ−２９５Ｍに標準化されたＳＤＩ方式を圧縮データの伝送等に適応可能に改良したＳＤＤＩ方式のフレームの構成等を示す図であって、図２ＡはＳＤＤＩ方式のフレームの構成を示し、図２ＢはＳＤＤＩ方式の伝送用パケットを示し、図２ＣはＳＤＤＩ方式の伝送信号を示すグラフである。
【図３】図３は、図２（Ａ）〜図２（Ｃ）に示したＳＤＤＩ方式のフレームの第１２ラインの伝送用パケットのペイロード部に含まれる再生用データの内容を示す図である。
【図４】図４は、図１に示したデータ送信装置およびデータ受信装置をそれぞれ複数有するデータ伝送システムの構成を示す図である。
【符号の説明】
１…データ伝送装置、１０，１０1〜１０m…データ送信装置、１２…ＡＶデータ処理装置、１４…ＳＤＤＩエンコーダ回路、１６…再生用データ生成回路、１８…送信回路、２０，２０1〜２０n…データ受信装置、２２…受信回路、２４…ＳＤＤＩデコーダ、２６…ＡＶデータ処理回路、２８…フレームメモリ、３０…メモリ制御回路、３２…装置制御回路、４…データ伝送システム、４０…ルータ装置、４２1〜４２m…データ生成装置、４４，４４1〜４４n…映像機器、４６…制御装置、５０…伝送路
【図１】
0004069472.tif 000002
【図２Ａ】
0004069472.tif 000003
【図２Ｂ】
0004069472.tif 000004
【図２Ｃ】
0004069472.tif 000005
【図３】
0004069472.tif 000006
【図４】
0004069472.tif 000007
0004069472.tif 000008